(57)【要約】【課題】出力制御を容易に実行することができるパワーコンディショナ遠隔システムを提供する。【解決手段】遠隔操作システム１０は、太陽光発電システム１の状態を監視する監視装置５０と、監視装置５０及びパワーコンディショナ８０にシーケンス制御可能に接続される遠隔操作補助装置６０と、監視装置５０と接続され、パワーコンディショナ８０の状態を制御する制御手段（制御部２２、制御部３２）と、パワーコンディショナ８０に配設され、商用系統２側における第一の異常を検出可能な第一検出部８１と、を備える。制御手段（制御部２２、制御部３２）は、監視装置５０、遠隔操作補助装置６０を介して、第一検出部８１に第一の異常の異常検出信号とは異なる操作信号を送信し、シーケンス制御により、パワーコンディショナ８０を運転状態から停止状態とする場合と、パワーコンディショナ８０を停止状態から運転状態とする場合と、がある。【選択図】図２
2020182259.tif 000002
【特許請求の範囲】
【請求項１】
発電源が発電した電力を商用系統と連系可能とするパワーコンディショナを含む発電システムに用いられるパワーコンディショナ遠隔操作システムであって、
前記発電システムの状態を監視する監視装置と、
前記監視装置及び前記パワーコンディショナにシーケンス制御可能に接続される遠隔操作補助装置と、
前記監視装置と接続され、前記パワーコンディショナの状態を制御する制御手段と、
前記パワーコンディショナに配設され、前記商用系統側における第一の異常を検出可能な第一検出部と、
を備え、
前記制御手段は、
前記監視装置、前記遠隔操作補助装置を介して、前記第一検出部に前記第一の異常の異常検出信号とは異なる操作信号を送信し、シーケンス制御により、
前記パワーコンディショナを運転状態から停止状態とする場合と、前記パワーコンディショナを停止状態から運転状態とする場合と、
があることを特徴とするパワーコンディショナ遠隔操作システム。
【請求項２】
前記第一の異常が、地絡過電圧であり、
前記第一検出部が、地絡過電圧継電器からの前記異常検出信号を受信可能とされている、
ことを特徴とする請求項１記載のパワーコンディショナ遠隔操作システム。
【請求項３】
前記パワーコンディショナは、前記商用系統側における前記第一の異常とは異なる第二の異常を検出可能な第二検出部を備え、前記第二検出部により前記商用系統側における前記第二の異常を検出した場合に、前記パワーコンディショナを停止状態とするとともに、
前記遠隔操作補助装置は、シーケンス制御により、前記第二検出部が前記商用系統側における異常を検出しない状態となっても前記パワーコンディショナの停止状態を継続し、
前記制御手段は、所定の条件を満たした場合に、前記監視装置、前記遠隔操作補助装置を介して、前記パワーコンディショナを運転状態とすることを特徴とする請求項１又は２記載のパワーコンディショナ遠隔操作システム。
【請求項４】
さらに、前記パワーコンディショナは、前記パワーコンディショナ側における異常を検出する第三検出部を備え、前記第三検出部により前記パワーコンディショナ側における異常を検出した場合に、前記パワーコンディショナを停止状態とするとともに、
前記遠隔操作補助装置は、シーケンス制御により、前記第三出部が前記パワーコンディショナ側における異常を検出しない状態となっても前記パワーコンディショナの停止状態を継続し、
前記制御手段は、所定の条件を満たした場合に、前記遠隔操作補助装置を介して、前記パワーコンディショナを運転状態とすることを特徴とする請求項１、２又は３記載のパワーコンディショナ遠隔操作システム。
【発明の詳細な説明】
【技術分野】
【０００１】
本発明は、パワーコンディショナ遠隔操作システムに関するものである。
【背景技術】
【０００２】
従来の計測モニター装置として、特許文献１に記載されるものがあった。これによれば、計測モニター装置は、Ａ社が製造した３台のパワーコンディショナ（パワコン）と、Ｂ社が製造した１台のパワコンと、Ｃ社が製造した１台のパワコンとから、各社用の異なる独自の通信プロトコルによる発電情報を、計測モニター用の通信プロトコルに変換する通信変換器を介して発電情報を受信している。各社用パワコンと通信変換器との間の通信は、ＲＳ４８５規格により、規格用ツイストペアケーブルに接続して行われていた。
【０００３】
これにより、通信変換器以降に各社の通信変換器を含めて複数台のパワコンを接続することができ、また、計測モニター装置にも、計測モニター装置を含めて複数台の通信変換器が接続可能であり、大幅な設備機器の増設に対応可能になっていた。
【先行技術文献】
【特許文献】
【０００４】
【特許文献１】特開２０１２−８８２６０号公報
【発明の概要】
【発明が解決しようとする課題】
【０００５】
ところで、太陽光発電、風力発電では、発電量が発電時の時刻、気象条件によりばらつきがあり、電力の需給バランスが崩れないように商用系統への送電（出力制御）を行う必要な場合がある。
【０００６】
しかし、上記の計測モニター装置では、通信複数の通信プロトコルを使用するために、通信プロトコルの設定が困難であり、それにともない出力制御を容易に実行することができないという問題があった。
【０００７】
本発明は、上記事情に鑑み、出力制御を容易に実行することができるパワーコンディショナ遠隔システムを提供するものである。
【課題を解決するための手段】
【０００８】
請求項１記載の発明では、発電源が発電した電力を商用系統と連系可能とするパワーコンディショナを含む発電システムに用いられるパワーコンディショナ遠隔操作システムであって、
前記発電システムの状態を監視する監視装置と、
前記監視装置及び前記パワーコンディショナにシーケンス制御可能に接続される遠隔操作補助装置と、
前記監視装置と接続され、前記パワーコンディショナの状態を制御する制御手段と、
前記パワーコンディショナに配設され、前記商用系統側における第一の異常を検出可能な第一検出部と、
を備え、
前記制御手段は、
前記監視装置、前記遠隔操作補助装置を介して、前記第一検出部に前記第一の異常の異常検出信号とは異なる操作信号を送信し、シーケンス制御により、
前記パワーコンディショナを運転状態から停止状態とする場合と、前記パワーコンディショナを停止状態から運転状態とする場合と、
がある。
【０００９】
これによれば、制御手段が、第一検出部の異常検出信号とは異なる操作信号を送信すると、遠隔操作補助装置は、意図的にパワーコンディショナを、運転状態から停止状態、停止状態から運転状態とすることが可能となるため、作業員を現場に出向させることなく、出力制御を容易に実行することができる。
【００１０】
さらに付言すれば、パワーコンディショナを、運転状態から停止状態とするとき、又は、停止状態から運転状態とするときに、監視装置、パワーコンディショナの、第一検出部に用いられるシーケンス制御の信号回路を利用可能となるので、信号回路を備える機種であれば適用可能となるとともに、各機器間の通信設定を容易なものとすることができる。
【００１１】
また、前記第一の異常が、地絡過電圧であり、
前記第一検出部が、地絡過電圧継電器からの前記異常検出信号を受信可能とされている。
【００１２】
これによれば、地絡過電圧からの異常検出信号を、遠隔操作補助装置を介して、パワーコンディショナ故障停止用の、第一検出部へ信号を送信し運転状態から停止状態とすることが可能となる。
【００１３】
また、前記パワーコンディショナは、前記商用系統側における前記第一の異常とは異なる第二の異常を検出可能な第二検出部を備え、前記第二検出部により前記商用系統側における前記第二の異常を検出した場合に、前記パワーコンディショナを停止状態とするとともに、
前記遠隔操作補助装置は、シーケンス制御により、前記第二検出部が前記商用系統側における異常を検出しない状態となっても前記パワーコンディショナの停止状態を継続し、
前記制御手段は、所定の条件を満たした場合に、前記監視装置、前記遠隔操作補助装置を介して、前記パワーコンディショナを運転状態とする。
【００１４】
これによれば、商用系統側の系統停電を伴うパワーコンディショナ故障停止後の再連系の場合のように、系統連系規程により電力会社の承諾がいるような場合には、その承諾を得てパワーコンディショナを運転状態とし、商用系統側の系統停電を伴わないような軽微な異常である場合には、所定時間経過後にパワーコンディショナを運転状態とすることが可能となるので、現場出向の負担軽減を図ることができる。
【００１５】
また、さらに、前記パワーコンディショナは、前記パワーコンディショナ側における異常を検出する第三検出部を備え、前記第三検出部により前記パワーコンディショナ側における異常を検出した場合に、前記パワーコンディショナを停止状態とするとともに、
前記遠隔操作補助装置は、シーケンス制御により、前記第三出部が前記パワーコンディショナ側における異常を検出しない状態となっても前記パワーコンディショナの停止状態を継続し、
前記制御手段は、所定の条件を満たした場合に、前記遠隔操作補助装置を介して、前記パワーコンディショナを運転状態とする。
【００１６】
これによれば、異常の態様により、現場出向の要否を判断することが可能となる。
【図面の簡単な説明】
【００１７】
【図１】本発明が適用される太陽光発電システムの概略構成図である。
【図２】パワーコンディショナ遠隔操作システムの概略説明図である。
【図３】パワーコンディショナの遠隔操作の説明図である。
【図４】受変電設備でＯＶＧＲが動作したときの説明図である。
【図５】系統異常、パワーコンディショナ異常動作のときの説明図である。
【発明を実施するための形態】
【００１８】
本発明におけるパワーコンディショナ遠隔操作システムの一実施形態を図面に基づいて説明する。
【００１９】
本実施形態では、発電源を太陽光発電とする発電システムに用いられる、パワーコンディショナ遠隔操作システムで説明する。
【００２０】
太陽光発電システム１は、図１に示すように、太陽光発電部７と、パワーコンディショナ８０と、受変電設備３と、を備えて、商用系統２と連系され、発電電力を商用系統２に供給することが可能とされている。
【００２１】
受変電設備３は、図２に示すように、キュービクル式高圧受電設備４、ＯＶＧＲ５（地絡過電圧継電器）、電力量計６等を有する既存の設備が用いられている。太陽光発電部７は、既存の太陽光発電パネル等を備えた太陽光発電モジュールが用いられている。パワーコンディショナ８０については、後で詳述する。
【００２２】
図２に示すように、パワーコンディショナ遠隔操作システム（以下、遠隔操作システムとする）１０は、サーバ２０と、情報通信端末３０と、監視装置５０と、遠隔操作補助装置６０と、パワーコンディショナ８０と、を有している。
【００２３】
サーバ２０は、図２に示すように、制御部２２、記憶部２３、及び通信部２４、を備えている。本実施形態では、既存のサーバを用いている。
【００２４】
制御部２２は、ＣＰＵ、ＲＡＭ、ＲＯＭ等から構成されている。記憶部２３は、発電量、故障停止情報、警報発生状態監視情報等が記憶され、半導体メモリ、ハードディスク装置、コンパクト・ディスク装置等から構成されている。通信部２４は、通信回線を介して、情報通信端末３０、監視装置５０と通信を行うためのものである。
【００２５】
情報通信端末３０は、図２に示すように、入力部３１、制御部３２、記憶部３３、通信部３４、及び、表示部３５を備えている。本実施形態では、既存のパーソナルコンピュータが用いられる。
【００２６】
入力部３１は、マウス、キーボード等から構成されている。制御部３２は、ＣＰＵ、ＲＡＭ、ＲＯＭ等から構成されている。記憶部３３は、発電量、故障停止情報、警報発生状態監視情報等が記憶され、半導体メモリ、ハードディスク装置、コンパクト・ディスク装置等から構成されている。通信部３４は、通信回線を介してサーバ２０、他の携帯端末等と通信を行うためのものである。表示部３５は、液晶ディスプレイ等から構成されている。
【００２７】
監視装置５０は、図２に示すように、既存の太陽光発電システム用の監視装置が用いられ、太陽光発電システム１の状態を監視するものである。
【００２８】
監視装置５０は、発電信号入力部５１と、系統異常入力部５２と、パワコン異常入力部５３と、操作信号出力部５４と、通信部５５と、を備えている。監視装置５０は、リレー回路を有して、接点信号により、遠隔操作補助装置６０を介して、パワーコンディショナ８０をシーケンス制御可能としている。
【００２９】
発電信号入力部５１には電力量計６の発電電力信号が入力され、系統異常入力部５２には商用系統２側の異常の信号が入力され、パワコン異常入力部５３にはパワーコンディショナ８０側の異常の信号が入力される。
【００３０】
操作信号出力部５４は、通信部５５で受け取ったパワーコンディショナ８０の操作信号を出力して、遠隔操作補助装置６０を介して、パワーコンディショナ８０をシーケンス制御する。
【００３１】
通信部５５は、サーバ２０と通信可能とされ、発電信号入力部５１、系統異常入力部５２、パワコン異常入力部５３から入力された接点信号をデジタル信号に変換してサーバ２０に送信可能とされるとともに、サーバ２０からの後述するパワーコンディショナ８０の操作信号（デジタル信号）を接点信号に変換して、遠隔操作補助装置６０の操作信号入力部６２に出力可能とされている。
【００３２】
遠隔操作補助装置６０は、図２に示すように、監視装置５０、パワーコンディショナ８０と接続され、リレー回路を有して、接点信号により、パワーコンディショナ８０をシーケンス制御可能とされている。
【００３３】
遠隔操作補助装置６０は、キュービクル式高圧受電設備４内に設置されたＯＶＧＲ５が動作した信号が入力する接点入力部６１と、監視装置５０からの操作信号が入力する操作信号入力部６２と、を有し、接点入力部６１、操作信号入力部６２に入力した信号をリレーして出力する操作信号出力部６３を有している。接点入力部６１、操作信号入力部６２に入力した信号は、シーケンス６４を経て操作信号出力部６３からパワーコンディショナ８０に出力する。
【００３４】
また、遠隔操作補助装置６０は、パワーコンディショナ８０の後述する第二検出部８２からの異常検出信号が入力する系統異常入力部６５と、パワーコンディショナ８０の後述する第三検出部８３からの異常検出信号が入力するパワコン異常入力部６６と、を有し、第二検出部８２から受け取った異常検出信号を監視装置５０の系統異常入力部５２に出力する系統異常出力部６７と、第三検出部８３から受け取った異常検出信号を監視装置５０のパワコン異常入力部５３に出力するパワコン異常出力部６８と、を有している。
【００３５】
系統異常入力部６５、パワコン異常入力部６６に入力した信号は、監視装置５０の系統異常入力部５２、監視装置５０のパワコン異常入力部５３に出力可能とされる。
【００３６】
また、系統異常入力部６５、パワコン異常入力部６６に入力した信号は、シーケンス６４を経て操作信号出力部６３からパワーコンディショナ８０に出力可能とされ、パワーコンディショナ８０を停止状態とすることを可能としている。そして、遠隔操作補助装置６０は、第二検出部８２、第三検出部８３から異常が検出されなくなっても、パワーコンディショナ８０の停止状態を継続させる。
【００３７】
パワーコンディショナ８０は、図１、２に示すように、太陽光発電部７により発電された直流電力を商用系統２に供給可能な交流電力に変換するもので、本実施形態では、既存のパワーコンディショナが用いられている。パワーコンディショナ８０は、リレー回路を有して、接点信号により、シーケンス制御可能とされている。
【００３８】
パワーコンディショナ８０は、太陽光発電システム１の異常を検出可能な検出部を備える。当該検出部は、ＯＶＧＲ５と接続され地絡過電圧を検出可能とされるとともに、パワーコンディショナ８０の操作信号を入力可能とされる第一検出部８１と、商用系統２と電気的に接続され商用系統２側の異常を検出可能な第二検出部８２と、太陽光発電システム１側の異常を検出可能な第三検出部８３と、で構成されている。
【００３９】
第二検出部８２で検出可能な故障内容は、系統過電圧、系統不足電圧、過周波数、不足周波数、単独運転能動、単独運転受動等が例示される。
【００４０】
また、第三検出部８３で検出可能な故障内容は、インバーター異常、盤内温度上昇、直流過電圧、ＭＣＣＢトリップ、直流地絡、同期通信異常、相回転異常、電源異常、直流側短絡、トランス異常、ＭＣＴＴ不応動等が例示される。
【００４１】
本実施形態における機能作用を、図１〜５を参照して説明する。電力会社が発電事事業者に対し、太陽光発電システム１から出力の停止を要請し出力制御を行う場合に、図２、３に示すように、管理者により営業所等に配されている情報通信端末３０から、パワーコンディショナ８０を停止状態とする操作指示を出す。
【００４２】
情報通信端末３０の通信部３４からサーバ２０の通信部２４に操作指示が到達すると、サーバ２０は、監視装置５０の通信部５５に操作指示を送信するとともに、記憶部２３に記憶する。
【００４３】
操作指示を受け取った監視装置５０は、デジタル信号から接点信号に変換し操作信号出力部５４から、パワーコンディショナ８０の操作信号を、遠隔操作補助装置６０の操作信号入力部６２に出力する。操作信号入力部６２に入力した操作信号は、シーケンス６４を経て操作信号出力部６３から出力し、パワーコンディショナ８０の第一検出部８１に入力する。
【００４４】
第一検出部８１に操作信号が入力すると、接点が「閉」となりパワーコンディショナ８０は、停止状態となる。
【００４５】
パワーコンディショナ８０が停止状態となると、パワーコンディショナ８０への電力の供給が止まるので電力量計６の電力計測値が変化し、発電信号入力部５１に変化した発電電力信号が入力する。発電信号入力部５１に入力した信号は、デジタル信号に変換されて通信部５５から、サーバ２０の通信部２４に送信され、記憶部２３に記憶するとともに、情報通信端末３０の通信部３４に送信する。通信部３４で受け取った情報は、記憶部３３に記憶する。換言すれば、パワーコンディショナ８０が停止状態となったことが、サーバ２０、情報通信端末３０に伝達される。
【００４６】
出力制御を解除する場合には、情報通信端末３０から、パワーコンディショナ８０を運転状態とする操作指示を出し、上記と同様の経路を経て、第一検出部８１に操作信号が入力すると、接点が「開」となりパワーコンディショナ８０は、運転状態となる。
【００４７】
地絡過電圧によりＯＶＧＲ５が動作して、商用系統２側に異常（特許請求の範囲における第一の異常）が発生した場合について説明する。図２、４に示すように、ＯＶＧＲ５が動作すると、遠隔操作補助装置６０の接点入力部６１に異常検出信号が入力し、当該信号は、シーケンス６４を経て操作信号出力部６３から出力し、パワーコンディショナ８０の第一検出部８１に入力する。
【００４８】
第一検出部８１に異常検出信号が入力すると、接点が「閉」となりパワーコンディショナ８０は、停止状態となる。
【００４９】
パワーコンディショナ８０が停止状態となった後は、上記の出力制御を行う場合と同様に電力量計６、監視装置５０を経て、サーバ２０等にデジタル信号に変換された情報が転送される。
【００５０】
このとき、図４に示すように、ＯＶＧＲ５が地絡過電圧の異常を検出しなくなってから、所定の時間が経過したときに、接点入力部６１、シーケンス６４を経て操作信号出力部６３からパワーコンディショナ８０に接点信号を出力する。第一検出部８１に接点信号が入力すると、接点が「開」となりパワーコンディショナ８０は、運転状態となる。
【００５１】
商用系統２において地絡過電圧以外の異常、例えば、過電圧、過周波数等が発生した場合について説明する。図２、５に示すように、第二検出部８２が商用系統２側の異常を検出すると、パワーコンディショナ８０を停止状態とするとともに、第二検出部８２から異常検出信号を、遠隔操作補助装置６０の系統異常入力部６５に出力する。
【００５２】
系統異常入力部６５に入力した信号は、系統異常出力部６７から監視装置５０の系統異常入力部５２に出力し、系統異常入力部５２に入力した接点信号は、デジタル信号に変換されて通信部５５から、サーバ２０の通信部２４に送信され、記憶部２３に記憶するとともに、情報通信端末３０の通信部３４に送信する。通信部３４で受け取った情報は、記憶部３３に記憶する。
【００５３】
一方、系統異常入力部６５に入力した異常検出信号は、シーケンス６４を経て操作信号出力部６３から出力し、パワーコンディショナ８０の第一検出部８１に入力する。
【００５４】
第一検出部８１に異常検出信号が入力すると、接点が「閉」となり、商用系統２側の異常が検出されなくなっても、パワーコンディショナ８０の停止状態を継続させる。
【００５５】
このとき、商用系統２側の系統停電を伴うパワーコンディショナ８０故障停止後の再連系の場合のように、系統連系規程により電力会社の承諾がいるような場合には、その承諾を得て出力制御を解除する場合と同様に情報通信端末３０から操作指示を出すことで、パワーコンディショナ８０を運転状態とする。また、商用系統２側の系統停電を伴わないような軽微な異常である場合には、所定時間経過後にシーケンス６４を経て操作信号出力部６３からパワーコンディショナ８０に接点信号を出力する。第一検出部８１に接点信号が入力すると、接点が「開」となりパワーコンディショナ８０は、運転状態となる。
【００５６】
パワーコンディショナ８０側において異常が発生した場合について説明する。図２、５に示すように、第三検出部８３が太陽光発電システム１側の異常を検出すると、パワーコンディショナ８０を停止状態とするとともに、第三検出部８３から異常検出信号を、遠隔操作補助装置６０のパワコン異常入力部６６に出力する。
【００５７】
パワコン異常入力部６６に入力した信号は、パワコン異常出力部６８から監視装置５０のパワコン異常入力部５３に出力し、パワコン異常入力部５３に入力した接点信号は、デジタル信号に変換されて通信部５５から、サーバ２０の通信部２４に送信され、記憶部２３に記憶するとともに、情報通信端末３０の通信部３４に送信する。通信部３４で受け取った情報は、記憶部３３に記憶する。
【００５８】
一方、パワコン異常入力部６６に入力した異常検出信号は、シーケンス６４を経て操作信号出力部６３から操作信号出力部６３から出力し、パワーコンディショナ８０の第一検出部８１に入力する。
【００５９】
第一検出部８１に異常検出信号が入力すると、接点が「閉」となり、パワーコンディショナ８０側の異常が検出されなくなっても、パワーコンディショナ８０の停止状態を継続する。
【００６０】
このとき、所定時間経過後にシーケンス６４を経て操作信号出力部６３からパワーコンディショナ８０に接点信号を出力する。第一検出部８１に接点信号が入力すると、接点が「開」となりパワーコンディショナ８０は、運転状態となる。
【００６１】
本実施形態の遠隔操作システム１０では、発電源が発電した電力を商用系統２と連系可能とするパワーコンディショナ８０を含む太陽光発電システム１に用いられるパワーコンディショナ遠隔操作システムであって、
太陽光発電システム１の状態を監視する監視装置５０と、
監視装置５０及びパワーコンディショナ８０にシーケンス制御可能に接続される遠隔操作補助装置６０と、
監視装置５０と接続され、パワーコンディショナ８０の状態を制御する制御手段（制御部２２、制御部３２）と、
パワーコンディショナ８０に配設され、商用系統２側における第一の異常を検出可能な第一検出部８１と、
を備え、
制御手段（制御部２２、制御部３２）は、
監視装置５０、遠隔操作補助装置６０を介して、第一検出部８１に第一の異常の異常検出信号とは異なる操作信号を送信し、シーケンス制御により、
パワーコンディショナ８０を運転状態から停止状態とする場合と、パワーコンディショナ８０を停止状態から運転状態とする場合と、
がある。
【００６２】
これによれば、制御手段（制御部２２、制御部３２）が、第一検出部８１の異常検出信号とは異なる操作信号を送信すると、遠隔操作補助装置６０は、意図的にパワーコンディショナ８０を、運転状態から停止状態、停止状態から運転状態とすることが可能となるため、作業員を現場に出向させることなく、出力制御を容易に実行することができる。
【００６３】
さらに付言すれば、パワーコンディショナ８０を、運転状態から停止状態とするとき、又は、停止状態から運転状態とするときに、監視装置５０、パワーコンディショナ８０の、第一検出部８１に用いられるシーケンス制御の信号回路を利用可能となるので、信号回路を備える機種であれば適用可能となるとともに、各機器間の通信設定を容易なものとすることができる。
【００６４】
また、第一の異常が、地絡過電圧であり、
第一検出部８１が、地絡過電圧継電器からの異常検出信号を受信可能とされている。
【００６５】
これによれば、地絡過電圧からの異常検出信号を、遠隔操作補助装置６０を介して、パワーコンディショナ８０故障停止用の、第一検出部８１へ信号を送信し運転状態から停止状態とすることが可能となる。
【００６６】
また、パワーコンディショナ８０は、商用系統２側における第一の異常とは異なる第二の異常を検出可能な第二検出部８２を備え、第二検出部８２により商用系統２側における第二の異常を検出した場合に、パワーコンディショナ８０を停止状態とするとともに、
遠隔操作補助装置６０は、シーケンス制御により、第二検出部８２が商用系統２側における異常を検出しない状態となってもパワーコンディショナ８０の停止状態を継続し、
制御手段（制御部２２、制御部３２）は、所定の条件を満たした場合に、監視装置５０、遠隔操作補助装置６０を介して、パワーコンディショナ８０を運転状態とする。
【００６７】
これによれば、商用系統２側の系統停電を伴うパワーコンディショナ８０故障停止後の再連系の場合のように、系統連系規程により電力会社の承諾がいるような場合には、その承諾を得てパワーコンディショナ８０を運転状態とし、商用系統２側の系統停電を伴わないような軽微な異常である場合には、所定時間経過後にパワーコンディショナ８０を運転状態とすることが可能となるので、現場出向の負担軽減を図ることができる。
【００６８】
また、さらに、パワーコンディショナ８０は、パワーコンディショナ８０側における異常を検出する第三検出部８３を備え、第三検出部８３によりパワーコンディショナ８０側における異常を検出した場合に、パワーコンディショナ８０を停止状態とするとともに、
遠隔操作補助装置６０は、シーケンス制御により、第三検出部８３がパワーコンディショナ８０側における異常を検出しない状態となってもパワーコンディショナ８０の停止状態を継続し、
制御手段（制御部２２、制御部３２）は、所定の条件を満たした場合に、監視装置５０、遠隔操作補助装置６０を介して、パワーコンディショナ８０を運転状態とする。
【００６９】
これによれば、異常の態様により、現場出向の要否を判断することが可能となる。
【００７０】
本発明のパワーコンディショナ遠隔操作システムは上記構成に限定されるものではない。即ち、本発明の要旨を逸脱しない限り各種の設計変更等が可能である。
【００７１】
例えば、本実施形態では、太陽光発電システムを発電源としたが、風力、水力、波力等、パワーコンディショナが使用される態様の発電システムに適用することができる。
【００７２】
また、監視装置５０、遠隔操作補助装置６０、パワーコンディショナ８０間のシーケンス制御は既存の電気制御回路の各要素を用いることができる。
【００７３】
また、出力制御を行う場合、地絡過電圧により商用系統２側に異常が生じた場合に、第二検出部８２からパワーコンディショナ８０を停止状態とする信号を、遠隔操作補助装置６０の系統異常入力部６５に出力し、系統異常入力部６５に入力した信号を、系統異常出力部６７から監視装置５０の系統異常入力部５２に出力し、系統異常入力部５２に入力した接点信号を、デジタル信号に変換して通信部５５から、サーバ２０の通信部２４に送信し、記憶部２３に記憶するとともに、情報通信端末３０の通信部３４に送信し、通信部３４で受け取った情報を、記憶部３３に記憶するように構成することができる。
【００７４】
また、パワーコンディショナ８０側において異常が発生した場合において、監視装置５０を介さずに、遠隔操作補助装置６０に直接操作指示して、パワーコンディショナ８０を停止状態から運転状態とすることも可能である。
【符号の説明】
【００７５】
１  太陽光発電システム
２  商用系統
１０  パワーコンディショナ遠隔操作システム（遠隔操作システム）
２２  制御部
３２  制御部
５０  監視装置
６０  遠隔操作補助装置
８０  パワーコンディショナ
８１  第一検出部
８２  第二検出部
８３  第三検出部
【図１】
2020182259.tif 000003
【図２】
2020182259.tif 000004
【図３】
2020182259.tif 000005
【図４】
2020182259.tif 000006
【図５】
2020182259.tif 000007